(57)【特許請求の範囲】
【請求項１】
一駒の画像が水平方向において分けられたときに得られる複数の画像領域における１水平ライン分の画像データを，与えられた一駒の画像を表す画像データから上記画像領域ごとに抽出する抽出手段，
上記抽出手段によって抽出された画像データを入力する第１の同時化回路であって，上記画像領域における１水平ライン分の画像データのデータ量と等しいデータ量の容量をもち，上記第１の同時化回路に入力した画像データを入力し，一時的に記憶して出力する第１のライン・メモリ，および上記画像領域における１水平ライン分の画像データのデータ量と等しいデータ量の容量をもち，上記第１のライン・メモリから出力された画像データを入力し，一時的に記憶して出力する第２のライン・メモリを含み，上記抽出手段によって抽出された画像データ，上記第１のライン・メモリから出力した画像データ，および上記第２のライン・メモリから出力した画像データを同時化して出力する第１の同時化回路，
上記第１の同時化回路から出力された画像データであって，上記抽出手段によって抽出された画像データ，上記第１のライン・メモリから出力した画像データ，および上記第２のライン・メモリから出力した画像データを入力し，入力した画像データに所定の信号処理を行う信号処理回路，ならびに
上記信号処理回路から出力された画像データを入力する第２の同時化回路であって，上記画像領域における１水平ライン分の画像データのデータ量と等しいデータ量の容量をもち，上記第２の同時化回路に入力した画像データを入力し，一時的に記憶して出力する第３のライン・メモリ，および上記画像領域における１水平ライン分の画像データのデータ量と等しいデータ量の容量をもち，上記第３のライン・メモリから出力された画像データを入力し，一時的に記憶して出力する第４のライン・メモリを含み，上記信号処理回路から出力された画像データ，上記第３のライン・メモリから出力した画像データ，および上記第４のライン・メモリから出力した画像データを同時化して出力する第２の同時化回路，
を備えた画像データ同時化装置。
【請求項２】
上記信号処理回路が，
上記第１の同時化回路から出力された画像データであって，上記抽出手段によって抽出された画像データ，上記第１の同時化回路に含まれている第１のライン・メモリおよび第２のライン・メモリから出力された画像データを入力し，入力した画像データから輝度データおよび色差データを生成する輝度色差データ生成回路であり，
上記第２の同時化回路が，上記輝度色差データ生成回路から出力された輝度データを入力するものであり，
上記輝度色差データ生成回路から出力された色差データを入力する第３の同時化回路であって，上記画像領域における１水平ライン分の画像データのデータ量と等しいデータ量の容量をもち，上記第３の同時化回路に入力した色差データを入力し，一時的に記憶して出力する第５のライン・メモリ，および上記画像領域における１水平ライン分の画像データのデータ量と等しいデータ量の容量をもち，上記第５のライン・メモリから出力された色差データを入力し，一時的に記憶して出力する第６のライン・メモリを含み，上記輝度色差データ生成回路から出力された色差データ，上記第５のライン・メモリから出力した色差データ，および上記第６のライン・メモリから出力した色差データを同時化して出力する第３の同時化回路，
をさらに備えた請求項１に記載の画像データ同時化装置。
【請求項３】
上記第２の同時化回路から出力された輝度データを入力し，ロウ・パス・フィルタ処理を行う輝度データ・ロウ・パス・フィルタ回路，および
上記第３の同時化回路から出力された色差データを入力し，ロウ・パス・フィルタ処理を行う色差データ・ロウ・パス・フィルタ回路，
をさらに備えた請求項２に記載の画像データ同時化装置。
【請求項４】
上記輝度データ・ロウ・パス・フィルタ回路から出力された輝度データを入力する第４の同時化回路であって，上記画像領域における１水平ライン分の画像データのデータ量と等しいデータ量の容量をもち，上記第４の同時化回路に入力した輝度データを入力し，一時的に記憶して出力する第７のライン・メモリ，および上記画像領域における１水平ライン分の画像データのデータ量と等しいデータ量の容量をもち，上記第７のライン・メモリから出力された輝度データを入力し，一時的に記憶して出力する第８のライン・メモリを含み，上記輝度データ・ロウ・パス・フィルタから出力された輝度データ，上記第７のライン・メモリから出力した輝度データ，および上記第８のライン・メモリから出力した輝度データを同時化して出力する第４の同時化回路，
上記第４の同時化回路から出力された輝度データを入力し，輪郭補正を行う輪郭補正回路，
上記色差データ・ロウ・パス・フィルタから出力された色差データを入力する第５の同時化回路であって，上記画像領域における１水平ライン分の画像データのデータ量と等しいデータ量の容量をもち，上記第５の同時化回路に入力した色差データを入力し，一時的に記憶して出力する第９のライン・メモリ，および上記画像領域における１水平ライン分の画像データのデータ量と等しいデータ量の容量をもち，上記第９のライン・メモリから出力された色差データを入力し，一時的に記憶して出力する第10のライン・メモリを含み，上記色差データ・ロウ・パス・フィルタから出力された色差データ，上記第９のライン・メモリから出力した色差データ，および上記第10のライン・メモリから出力した画像データを同時化して出力する第５の同時化回路，
上記第５の同時化回路から出力された色差データを入力し，色相補正を行う色相補正回路，
をさらに備えた請求項３に記載の画像データ同時化装置。
【請求項５】
請求項１に記載の画像データ同時化装置，および
被写体を撮像し，被写体像を表す画像データを出力する固体電子撮像装置を備え，
上記画像データ同時化装置の上記抽出手段は，上記被写体像が水平方向において分けられたときに得られる複数の画像領域における１水平ライン分の画像データを，上記固体電子撮像装置から出力された画像データから上記画像領域ごとに抽出するものである，
ディジタル・カメラ。
【請求項６】
抽出手段が，一駒の画像が水平方向において分けられたときに得られる複数の画像領域における１水平ライン分の画像データを，与えられた一駒の画像を表す画像データから上記画像領域ごとに抽出し，
上記抽出手段によって抽出された画像データを入力する第１の同時化回路が，上記画像領域における１水平ライン分の画像データのデータ量と等しいデータ量の容量をもち，上記第１の同時化回路に入力した画像データを入力し，一時的に記憶して出力する第１のライン・メモリ，および上記画像領域における１水平ライン分の画像データのデータ量と等しいデータ量の容量をもち，上記第１のライン・メモリから出力された画像データを入力し，一時的に記憶して出力する第２のライン・メモリを含み，上記抽出手段によって抽出された画像データ，上記第１のライン・メモリから出力した画像データ，および上記第２のライン・メモリから出力した画像データを同時化して出力し，
信号処理回路が，上記第１の同時化回路から出力された画像データであって，上記抽出手段によって抽出された画像データ，上記第１のライン・メモリから出力した画像データ，および上記第２のライン・メモリから出力した画像データを入力し，入力した画像データに所定の信号処理を行い，
上記信号処理回路から出力された画像データを入力する第２の同時化回路が，上記画像領域における１水平ライン分の画像データのデータ量と等しいデータ量の容量をもち，上記同時化回路に入力した画像データを入力し，一時的に記憶して出力する第３のライン・メモリ，および上記画像領域における１水平ライン分の画像データのデータ量と等しいデータ量の容量をもち，上記第３のライン・メモリから出力された画像データを入力し，一時的に記憶して出力する第４のライン・メモリを含み，上記信号処理回路から出力された画像データ，上記第３のライン・メモリから出力した画像データ，および上記第４のライン・メモリから出力した画像データを同時化して出力する，
画像データ同時化方法。
【発明の詳細な説明】
【０００１】
【技術分野】
この発明は，画像データを同時化して出力する装置および方法に関する。
【０００２】
【発明の背景】
ディジタル・フィルタリング処理のように，一駒の画像のうち，複数の水平ラインの画像部分を用いて画像処理を行う場合には，ライン・メモリを用いて１水平ライン分の画像データを一時的に記憶して同時化処理する必要がある。ライン・メモリに一時的に記憶された１ライン分の画像データとライン・メモリを通さない次のラインの画像データとを用いて画像処理が行われる。
【０００３】
近年，ＣＣＤが高画素化し，１水平ラインの画素数も極めて多くなってきた。このために，１水平ライン分の画像データを記憶するライン・メモリの容量も増加せざるを得ない。ライン・メモリのコスト，消費電力も自ずから増加する。
【０００４】
【発明の開示】
この発明は，ライン・メモリの容量を増やすことなく，画像データの同時化処理を実現することを目的とする。
【０００５】
この発明による画像データの同時化装置は，一駒の画像が水平方向において分けられたときに得られる複数の画像領域における１水平ライン分の画像データを，与えられた一駒の画像を表す画像データから上記画像領域ごとに抽出する抽出手段，および上記画像領域における１水平ライン分の画像データのデータ量とほぼ等しいデータ量の容量をもち，上記抽出手段によって抽出された画像データを一時的に記憶するライン・メモリを備えていることを特徴とする。
【０００６】
この発明は，上記装置に適した方法も提供している。すなわち，この方法は，一駒の画像が水平方向において分けられたときに得られる複数の画像領域における１水平ライン分の画像データを，与えられた一駒の画像を表す画像データから上記画像領域ごとに抽出し，上記画像領域における１水平ライン分の画像データとほぼ等しいデータ量をもつライン・メモリに，抽出された画像データを一時的に記憶し，上記ライン・メモリから出力するものである。
【０００７】
この発明によると，一駒の画像が水平方向において分けられたときに得られる複数の画像領域における１水平ライン分の画像データが，与えられた一駒の画像を表す画像データから上記画像領域ごとに抽出される。抽出された画像データは，上記ライン・メモリに一時的に記憶され，出力される。
【０００８】
抽出された画像データと，上記ライン・メモリに一時的に記憶され，出力された画像データとが，同時に得られることとなる。
【０００９】
この発明によると，画像データを記憶するライン・メモリの容量は，上記画像領域の１水平ライン分の画像データを記憶することができる程度あれば足りる。一駒の画像の１水平ライン分の画像データを記憶する必要がないので，ライン・メモリの容量を少なくすることができる。画像データを得るためのＣＣＤが高画素化しても少ない容量のライン・メモリを用いて同時化処理を実現することができる。
【００１０】
隣接する画像領域において，互いに隣接する一部の部分が重複するようにしてもよい。
【００１１】
【実施例の説明】
まず，同時化処理のやり方について説明する。
【００１２】
図１は，ＣＣＤ１の受光領域を示している。
【００１３】
ＣＣＤ１は，水平方向1312画素，垂直方向1026画素の約 135万画素の画素数を有している。ＣＣＤ１の受光領域を，水平方向に192 画素ずつ分けたときに得られる複数の画像領域20を想定する。水平方向に192 画素分けたときに，水平方向における32画素（＝16画素×２）（重複部分20Ｂ）は，隣接する画像領域において互いに重複するように，画像領域20が分けられる。
【００１４】
水平方向に192 画素分けられた画像領域20のうち，両端のそれぞれ16画素を除いた中央の160 画素の画像領域20Ａ（ハッチングで示す）を表す画像データについて後述のようにデータ処理が行われる。
【００１５】
図２は，同時化回路の電気的構成を示すブロック図である。
【００１６】
同時化回路30には，上述したようにして分けられた画像領域20の１水平ライン分（192 画素分）の画像データが入力する。１水平ライン分の画像データは，第１の192 画素用のライン・メモリ31に入力する。このライン・メモリ31において１水平ライン分の画像データが一時的に記憶される。
【００１７】
ライン・メモリ31に記憶された１水平ライン分の画像データが，同時化回路30の出力の一部となり，同時化回路30の後段の処理装置33に入力する。第１のライン・メモリ31から出力された画像データは，第２の192 画素用のライン・メモリ32にも入力する。画像データは，第２のライン・メモリ32に一時的に記憶される。第２のライン・メモリ32から出力される画像データも同時化回路30の出力の一部となり，処理装置33に入力する。
【００１８】
同時化回路30からは，同時化回路30に入力した画像データが単に通過して出力される。
【００１９】
同時化回路30からは，192 画素分の現在の画像データ，この現在の画像データよりも１水平ライン遅延した画像データおよび現在の画像データよりも２水平ライン遅延した画像データが出力されることとなる。これらの画像データが，処理装置33に入力し，上述した画像領域20Ａに対応する160 画素の画像データに所定の処理が行われる。
【００２０】
一駒分の画像を表す画像データについて，同時化回路10による同時化処理が繰り返される。
【００２１】
隣接する画像領域20のうち重複する部分20Ｂについては同時化回路30の後段の処理装置33の処理内容に応じてその大きさを変えてもよい。
【００２２】
図３は，ディジタル・カメラの電気的構成の一部を示すブロック図である。
【００２３】
この図において，同時化回路４，６，８，10および12が上述したように図２に示す同時化回路30と同じ構成をもつものである。
【００２４】
被写体が撮像されることにより，ＣＣＤ１から被写体像を表す画像データが出力される。ＣＣＤ１から出力された一駒分の画像データは，信号処理回路２に入力し，アナログ／ディジタル変換処理，ガンマ補正処理などの所定の信号処理が施される。信号処理回路２から出力した一駒分の画像データは，フレーム・メモリ３に与えられ，一時的に記憶される。
【００２５】
フレーム・メモリ３におけるアドレッシングの操作により，上述したように，一駒の画像から複数に分割して得られる画像領域20Ａを表す画像データが，１水平ライン（192 画素分）ずつ読み出される。フレーム・メモリ３から読み出された画像データが同時化回路４に入力する。
【００２６】
同時化回路４において，同時化された画像データは，輝度色差データ作成回路５に入力する。輝度色差データ作成回路５において，入力した画像データから輝度データおよび色差データが生成される。
【００２７】
輝度データは，同時化回路６に与えられ，再び同時化処理が行われる。同時化回路６から出力した輝度データは，輝度データ・ロウ・パス・フィルタ７に入力し，フィルタリング処理が行われる。輝度データは，同時化回路８において再び同時化処理が行われ，輪郭補正回路９に入力し，輪郭補正処理が行われて出力する。
【００２８】
輝度色差データ作成回路５において作成された色差データは，輝度データと同じように，同時化回路10において同時化され，色差データ・ロウ・パス・フィルタ11に入力する。色差データは，同時化回路12において再び同時化され，色相補正回路13に入力する。色相補正回路13において，色差データについて色相補正処理が行われ，出力される。
【００２９】
輪郭補正回路９から出力された輝度データおよび色相補正回路13から出力された色差データが圧縮処理されて，メモリ・カードなどに記録されることとなる。
【００３０】
ＣＣＤ１の水平方向の画素数（1312画素）よりも少ない画素数（192 画素）を記憶するライン・メモリを用いて同時化処理を行うことができるようになる。
【００３１】
上述した実施例においては，ディジタル・カメラに適用した例を取り上げたが，ディジタル・カメラにのみ適用されるものではない。
【図面の簡単な説明】
【図１】ＣＣＤの受光領域と分けられた画像領域とを示している。
【図２】同時化回路の電気的構成を示している。
【図３】ディジタル・カメラの電気的構成の一部を示してる。
【符号の説明】
１  ＣＣＤ
３  フレーム・メモリ
４，６，８，10，12，30  同時化回路
20  分割された画像領域
【図１】
0004105351.tif 000002
【図２】
0004105351.tif 000003
【図３】
0004105351.tif 000004